(57)【要約】  本発明は可動家具部（２）の駆動装置（１）に関し、開方向（ＯＲ）にて可動家具部（２）に作用する駆出要素（３）と、ハウジング（４）と、ハウジング（４）内または外に提供され、相対移動できる駆出要素（３）のロック要素（５）と、駆出要素（３）に接続され、閉位置（ＳＳ）にてロック要素（５）に当接するラッチ要素（６）とを含んでおり、可動家具部（２）の少なくともロック位置（ＳＳ）にてロック要素（５）は開方向（ＯＲ）でラッチ要素（６）の経路を妨害でき、可動家具部（２）が閉方向（ＳＲ）で閉位置（ＳＳ）からの増加圧力に曝露されたときと、可動家具部（２）が開方向（ＯＲ）に閉位置（ＳＲ）から引っ張られたときとの両方で駆出要素（３）を解放することが可能であり、可動家具部（２）の位置を検出する検出システム（７）と、検出装置（７）で検出された可動家具部（２）の位置をロック要素（４）に伝達する、ラッチ要素（６）とは別体である伝達装置（８）とをさらに含んでおり、可動家具部（２）が閉位置（ＳＳ）から開方向（ＯＲ）に引っ張られると、ロック要素（５）は伝達装置（８）によって移動可能になる。【選択図】図２１
2015521924.tif 000002
【特許請求の範囲】
【請求項１】
可動家具部（２）のため駆動装置（１）であって、
前記可動家具部（２）に対して開方向（ＯＲ）に作用する駆出要素（３）と、
ハウジング（４）と、
前記ハウジング（４）内または前記ハウジング（４）上に配置され、前記ハウジング（４）に対して可動な、前記駆出要素（３）のためのロック要素（５）と、
前記駆出要素（３）に接続され、閉位置（ＳＳ）において前記ロック要素（５）と当接するラッチ要素（６）と、
を備え、
開方向（ＯＲ）における前記ラッチ要素（６）の通路は、前記可動家具部（２）の少なくとも閉位置（ＳＳ）において前記ロック要素（５）により妨害でき、
前記駆出要素（３）は、閉方向（ＳＲ）における閉位置（ＳＳ）からの前記可動家具部（２）のオーバプレスと、開方向（ＯＲ）における閉位置（ＳＳ）からの前記可動家具部（２）の引っ張りとの両方で解放でき、
前記駆動装置（１）は、
前記可動家具部（２）の位置を検出する検出装置（７）をさらに備え、
前記ラッチ要素（６）とは別体である伝達装置（８）であって、前記検出装置（７）によって検出される前記可動家具部（２）の位置を、前記ロック要素（５）に伝達する伝達装置（８）をさらに備え、
閉位置（ＳＳ）から前記可動家具部（２）を開方向（ＯＲ）に引っ張ると、前記伝達装置（８）によって前記ロック要素（５）は移動可能となる、
ことを特徴とする駆動装置（１）。
【請求項２】
前記検出装置（７）は、前記可動家具部（２）の経路の少なくとも一部において、同伴部材（９）により前記可動家具部（２）に連結できる、
ことを特徴とする請求項１記載の駆動装置。
【請求項３】
前記伝達装置（８）は、可動である、好適には旋回可能である連結要素（１０）を有しており、
前記検出装置（７）が閉位置（ＳＳ）から開方向（ＯＲ）に移動すると、前記伝達装置（８）は前記連結要素（１０）によって前記検出装置（７）の接続要素（１１）に連結可能となる、
ことを特徴とする請求項１または２記載の駆動装置。
【請求項４】
閉方向（ＳＲ）における前記検出装置（７）の移動で、前記連結要素（１０）は前記検出装置（７）の前記接続要素（１１）によって通過可能になる、
ことを特徴とする請求項３記載の駆動装置。
【請求項５】
前記ハウジング（４）内には少なくとも部分的に、前記駆出要素（３）に、好適には旋回可能に取り付けられている前記ラッチ要素（６）のための、好適にはカージオイド曲線形状スライドトラック（１２）が設置されており、
前記ロック要素（５）は、前記スライドトラック（１２）のラッチ凹部（１３）を少なくとも部分的に形成する、
ことを特徴とする請求項１から４のいずれか１項に記載の駆動装置。
【請求項６】
前記伝達装置（８）は、前記ハウジング（４）内または前記ハウジング（４）上に取り付けられる伝達スライド（１４）を有している、
ことを特徴とする請求項１から５のいずれか１項に記載の駆動装置。
【請求項７】
前記ロック要素（５）は前記伝達スライド（１４）と一体的に提供されている、
ことを特徴とする請求項６記載の駆動装置。
【請求項８】
開位置（ＯＳ）から閉位置（ＳＳ）へと前記可動家具部（２）を引き込むための引込装置（１５）をさらに備える、
ことを特徴とする請求項１から７のいずれかに１項に記載の駆動装置。
【請求項９】
前記引込装置（１５）は前記検出装置（７）の一部である、
ことを特徴とする請求項８記載の駆動装置。
【請求項１０】
家具枠体（１７）、可動家具部（２）および請求項１から９のいずれか１項に記載の可動家具部（２）のための駆動装置（１）を備えた家具（１６）。
【発明の詳細な説明】
【技術分野】
【０００１】
本発明は、開方向で可動家具部に作用する駆出要素と、ハウジング（筐体）と、ハウジング内またはハウジング上に配置され、ハウジングに対して可動である駆出要素のためのロック要素と、駆出要素に接続され、閉位置でロック要素に当接するラッチ要素と、を備え、開方向のラッチ要素の経路は可動家具部の少なくとも閉位置でロック要素によって妨害でき、駆出要素は、閉位置からの可動家具部の閉方向のオーバプレス（過押込み）動作と、閉位置からの可動家具部の開方向の引き出し動作の両方で解放が可能であり、さらに可動家具部の位置を検出する検出装置を備えている可動家具部用の駆動装置に関する。本発明はさらに、そのような駆動装置を有した家具にも関する。
【背景技術】
【０００２】
ロック可能な駆出装置を備えた種々な駆動装置は、長年にわたって家具用金具産業で既に知られている。その駆動装置では、ロック解除は、可動家具部（引出し、フラップ戸、扉、等々）を押すか引っ張ることで行われる。そのロック解除動作のおかげで、駆出要素は非拘束状態となり、可動家具部を開方向に駆出できる。
【０００３】
その１例は、その出願後に公開され、優先権の基礎を成す本出願人のオーストリア特許願Ａ１８９１／２０１１に記載されている。
【０００４】
ＥＰ２２９４９４４Ａ１は、切換湾曲部の環形状部分で切換要素がラッチ（掛留め）されるラッチシステムを開示する。この切換湾曲部はラッチ凹部を有し、作用力が切換要素に対して開方向に作用するとき切換要素をロック解除させるために少なくとも部分的に移動が可能であり、ラッチ装具の切換要素のロック解除で、少なくとも２つの作用力保存手段の作用力は第２のラッチ装具の切換要素をロック解除させる。
【０００５】
それら両方の明細書は、ラッチ要素または切換要素の作用力が制御されたトリガー（発動）作用を開示する。そこでは、ラッチ要素または切換要素自身のそれぞれによる、可動家具部の閉位置からの開方向の移動（引っ張ることによる移動）によって、ロック要素の一部またはラッチ凹部自身がバネ作用力に抗して移動し、駆出要素がロック解除される。この点に関する弱点は、特に引っ張ることによるロック解除のために、引っ張りが別体の作用力保存手段の作用力に抗して実行されなければならないことである。
【先行技術文献】
【特許文献】
【０００６】
【特許文献１】Ａ１８９１／２０１１
【特許文献２】ＥＰ２２９４９４４Ａ１
【発明の概要】
【発明が解決しようとする課題】
【０００７】
従って、本発明の目的は、従来の技術に代わるか、従来の技術が改良された駆動装置を提供することである。
【課題を解決するための手段】
【０００８】
この目的は、請求項１の特徴を備えた駆動装置によって達成される。従って、本発明によれば、ラッチ要素とは別に、検出装置によって検出される可動家具部の位置をロック位置に伝達する伝達装置が利用され、可動家具部を閉位置から開方向に引っ張ると、ロック要素は伝達装置によって移動が可能になる。従って、少なくとも引張力が適用されたとき、可動家具部が関与する引張動作を伝達させるのはラッチ要素自身ではなくなる。むしろ、ラッチ要素とは別であり、（関与するデザイン形態によって）オーバプレスの場合に加えて、引っ張ると駆出要素をロック解除する伝達装置が利用される。
【０００９】
本発明の１好適実施態様によれば、検出装置は、可動家具部の移動経路の少なくとも一部において同伴部材によって可動家具部に連結できる。連結作用は特に可動家具部の移動経路、すなわち閉位置の直前で発生すべきである。
【００１０】
可動家具部の正確な位置の検出と、正確な位置のロック要素への伝達を保証するため、伝達装置は、可動で、好適には旋回可能な連結要素を有しており、検出装置の閉位置からの開方向の移動で、伝達装置は、連結要素によって検出装置の接続要素に連結できる。もし、可動家具部の開方向の移動のみが伝達装置に影響を及ぼすことが意図されるなら、好適には連結要素は、検出装置の接続要素によって、検出装置の閉方向の移動時に乗り越え可能であるべきである。
【００１１】
本質的に、ラッチ要素のロック作用は、ラッチ要素とロック要素との間の摩擦形態ロック作用及び／又はポジティブロック作用によって提供できる。好適には、ハウジング内には、好適には旋回可能に駆出要素に取り付けられたラッチ要素のための、好適にはカージオイド曲線形状のスライドトラック（軌道）が少なくとも部分的に存在する。ここでロック要素はスライドトラックのラッチ凹部の少なくとも一部を形成する。
【００１２】
単純な構造の形態では、伝達装置は、ハウジング内またはハウジング上に可動に取り付けられた伝達スライドを有し、好適には、ロック要素は伝達スライドと一体形態である。よって、伝達スライドは、可動家具部の動作のロック要素への伝達を担い、同時にスライドトラックのラッチ凹部の一部を形成する。
【００１３】
原理的に、ロック可能な駆出装置以外に、駆動装置は、開位置から閉位置に可動家具部を引き込ませる引込装置も有することができる。好適には、その場合には、特に、同伴部材が引込装置に配置されているときには、引込装置は検出装置の一部を形成する。引込装置は緩衝装置による緩衝も可能である。
【００１４】
本発明の保護は、家具枠体、可動家具部および可動家具部のための本発明の駆動装置を含んだ家具にも及ぶ。好適には、駆動装置の主要部（すなわち同伴部材を除き）は可動家具部と関係し、キャッチレバーによって家具枠体に対して固定される同伴部材と係合する。しかし、逆の構造で、ロック可能な駆出装置が家具枠体に配置され、同伴装置も可動家具部と共に可動であることもできる。
【００１５】
本発明のさらなる詳細と利点は、図面に図示した実施例に言及する以下の詳細に説明で充分に解説されている。
【図面の簡単な説明】
【００１６】
【図１−４】図１から図４は駆動装置によって様々な位置にある可動家具部を概略的に図示する。
【図５−６】図５と図６は駆動装置の分解図である。
【図７−１２】図７から図１２は駆動装置の内部を示す様々な斜視図である。
【図１３−１９】図１３から図１９はオーバプレスによる閉（方向）移動およびロック解除作用に関与する動作を図示する。
【図２０−２２】図２０から図２２は引張作用によるロック解除に関与する動作を図示する。
【図２３−２９】図２３から図２９は走行制御トリガー手段を備えた駆動装置の第２実施例を図示する。
【発明を実施するための形態】
【００１７】
図１は、家具枠体１７と、前部に前面パネル２１が取り付けられた可動家具部２と、を備えた家具１６を概略的に示す。可動家具部２は引出しレール２２によって、可能には中央レール（図示せず）にもよって、枠体レール２３に可動に取り付けられている。この概略図では、枠体レール２３は同時に駆動装置１のハウジング４も形成する。この図１では、駆動装置１の全体が家具枠体１７と関係しており、同伴部材９だけが可動家具部２と共に動く。原理的には、この構造は正確に反転が可能であり、駆動装置１が可動家具部２と関係し、同伴部材９が家具枠体に関して固定式に配置されるようにすることも可能である。可動家具部２の位置、特に同伴部材９の位置は、検出装置７によって検出され、この場合には図において円で示されている伝達スライド１４によってロック要素５に伝達される。伝達スライド１４と検出装置７とは、可能には別の部材と共に、検出装置７で検出された可動家具部２の位置をロック要素５に伝達する伝達装置８を形成する。駆出要素３（駆出スライド３とも呼称可能）はハウジング４に可動に取り付けられ、駆出力保存手段１８によって開方向ＯＲに作用を受ける。開方向ＯＲの駆出要素３の移動がロック要素５によって阻止されるので、可動家具部２は開方向ＯＲに駆出されることができず、可動家具部２は閉位置ＳＳに残る。
【００１８】
図２で示すように、可動家具部２が閉方向ＳＲに加圧されたら、ロック要素５は伝達装置８によって移動され、駆出要素３の駆出経路には障害がなくなる。閉方向ＳＲのオーバプレスの場合には、ロック要素５は図１から図４および図２３から図２９で示すように必ずしも動かなくても構わない。可動家具部２の位置は、検出装置７によって駆出要素３に配置された駆出要素６に直接的に伝達でき、それは図５から図２２で示すようにカージオイド曲線形状のスライドトラック１２のラッチ凹部１３からスライドトラック１２の開口部分４５内へと移動する。オーバプレス位置ＵＳにはそのオーバプレス動作によって到達される。
【００１９】
比較として、図３は、可動家具部２を開方向ＯＲに引っ張ることによりロック解除される駆動装置１を図示する。その開動作も検出装置７によって検出され、ラッチ要素６とは別の伝達装置８によってロック要素５はハウジング４に対して移動し、駆出要素３の駆出経路の障害を排除する。これで閉部分ＳＳの直前の引張位置ＺＳに到達される。
【００２０】
図４では、駆出要素３は、押し込み（図２参照）または引っ張り（図３参照）によるロック解除後に、応力が解放されている駆出力保存手段１８によって可動家具部２を開方向ＯＲに駆出しており、開位置ＯＳに到達されている。駆出によって、同伴部材９は検出装置７から係合を解く。それは旋回して離れる検出装置７のキャッチレバー３７によって実施される。
【００２１】
駆動装置１を例示する特定実施例の分解図が図５と図６で示されている。この場合には、ハウジング基部プレート２４、ハウジング中央プレート２６およびハウジングカバー２５は共同でハウジング４を形成し、ハウジング４は、好適にはハウジング基部プレート２４によって引出しレール２２に取り付けられている。閉位置ＳＳで、家具枠体１７に対する可動家具部２の位置を変化させるために、ハウジング中央プレート２６は、家具部、ハウジング基部プレート２４、およびハウジングカバー２５に対して固定された部材に対して移動できる。この場合、正確なセッティングは、調節手段２８と、ハウジング中央プレート２６の上の調節スタッドとによって可能である。可動家具部２の引込動作を緩衝するための緩衝装置２７もハウジング中央プレート２６に接続される。その緩衝装置２７の個別の部材は詳細には説明されていない。
【００２２】
内部をラッチ要素６が移動するスライドトラック１２はハウジング中央プレート２６内、よってハウジング４内に設置されている。ラッチ要素は駆出装置３の取り付け位置４２にて一端で旋回可能に保持される。駆出要素３はハウジング中央プレート２６に対してアバットメント間で可動である。駆出力保存手段１８（引張スプリング）のスプリング基部は駆出要素３の上に設置されている。駆出力保存手段１８の他端はスプリング基部３２に保持されている。そのスプリング基部３２はハウジング基部プレート２４に固定的に接続されたバネ応力要素３０に配置されている。バネ応力はハウジング基部プレート２４へのバネ応力要素３０の固定位置に応じて調節できる。ハウジング基部プレート２４の上に配置されたバネ応力要素３０は、調節要素３１によってハウジング基部プレート２４に対して可動であり、よって、駆出力保存手段１８のバネ応力が調節できる。
【００２３】
引込力保存手段１９（引張スプリング）のスプリング基部３５も駆出要素３の上に配置され、引込力保存手段は他端で引込スライド１５のスプリング基部３４に固定されている。その引込スライド１５（引込装置１５とも呼称可能）はアバットメントにより制限的に可動に駆出スライド３に取り付けられている。引込スライド１５の一端にはキャッチレバー３７の回転軸３８が配置されている。同伴部材９は検出装置７の一部であるキャッチレバー３７によって保持される。同伴部材９は枠体レール２３（図示せず）に取り付けられた取付プレート３６に固定的に接続されている。緩衝アバットメント４０も引込スライド１５の端部に提供され、引込スライド１５と同伴部材９との間の接触が発生しても大きな衝突音は発生せず、部材は優しく扱われる。
【００２４】
ハウジング中央プレート２６に可動に取り付けられた伝達スライド１４は、可動家具部を引っ張ると発生する、駆出スライド３の走行制御されたトリガー作用またはロック作用の走行制御された無効化作用のために提供されている。その一端で、伝達スライド１４は、部分的にスライドトラック１２のラッチ凹部１３を形成するロック要素５を有する。オーバプレス効果のために共にスライドトラック１２を形成する傾斜変形（変位）手段４３も、その伝達スライド１４の上に配置されている。弾性連結要素１０は伝達スライド１４の前端に保持され、連結要素１０は引込スライド１５の上に配置された接続要素１１に対応する。伝達スライド１４の上には、変形要素２０も配置されており、それによって、完全ではない駆出移動の際にはラッチ要素６を閉位置ＳＳに戻すことができる。ハウジング中央プレート２６に弾性的に取り付けられているスライダ３９は、特に引出しが、小さ過ぎるエネルギーで閉じられ、ロック作用が発生する前に再び駆出されるとき、ラッチ要素６がスライドトラック１２の不都合な部分にまで通過しないようにする。そのような移動の際にはスライダ３９は閉じたままである。
【００２５】
図７は、ハウジングカバー２５が外されている組み立て状態の駆動装置１を示す。緩衝装置２７はハウジング中央プレート２６内で挟持されている。駆出力保存装置１８は、一方がハウジング基部プレート２４またはバネ応力要素３０に固定され、他方が駆出スライド３に固定されている。引込スライド１５と、そこに固定されているキャッチレバー３７も部分的に図示されている。伝達スライド１４の大部分もハウジング中央プレート２６を通って図示されている。
【００２６】
図７とは異なりハウジング中央プレート２６は図８では省略されているため、駆出スライド３と引込スライド５はさらに明瞭に示されている。
【００２７】
ラッチ要素６は引込スライド１５の端部に当接しており、これはラッチ要素アバットメント４１により形成されている。スライドトラック１２内をガイドされているのでラッチ要素６はその位置から逃れられない。
【００２８】
スライドトラック１２は図９において駆動装置１の主要部で図示されており、そこではハウジング基部プレート２４のみが省略されている。引張スプリングの形態の引込力保存手段１９は、この場合にはスプリング基部３４と３５との間に保持されている。駆出力保存手段１８はスプリング基部３２と３３との間に保持されている。キャッチレバー３７は開位置にて示され、同伴部材９は既に引込スライド１５のアバットメント４０に当接している。
【００２９】
ラッチ要素６に関してさらに明示するため、図９とは異なり図１０では駆出スライド３の一部は除かれている。その結果、ラッチ要素６はスライドトラック１２およびラッチ要素アバットメント４１に当接している。ラッチ要素６のこの第１の連結位置Ｋ１において、ラッチ要素６に当接するラッチ要素アバットメント４１のおかげで引込スライド１５が駆出スライド３に対してさらに左側に移動できないので、引込スライド１５は駆出スライド３に連結される。その結果、引込力保存手段１９は応力を解放できない。
【００３０】
一方、図１１では、引込スライド１５のための経路が駆出スライド３に対して開放されている第２連結位置Ｋ２にラッチ要素６が到達しているので、引込力保存手段１９は弛緩している。
【００３１】
それに合わせて、図１２では引込スライド１５は部分的に除かれており、ラッチ凹部１３内またはラッチ凹部１３上で保持されているラッチ要素６が明示されている。
【００３２】
図１３では、駆動装置１および可動家具部２は開位置ＯＳに配置されている。図１０と同様に、ラッチ要素６は引込スライド１５のラッチ要素アバットメント４１に当接しており、ハウジング中央プレート２６内に配置されたスライドトラック１２内をガイドされる。駆出スライド３の全体は第１移動部分Ｂ１内に配置されており、ラッチ要素６は第１連結位置Ｋ１内に配置されている。同伴部材９への接続はキャッチレバー３７による引込スライド１５の他端で見られる。ハウジング中央プレート２６によって部分的に遮蔽されている伝達スライド１４はハウジング中央プレート２６に対して可動である。伝達スライド１４はスライドトラック１２の一部も形成する。よって、例えば、伝達スライドは、ロック要素５と、ラッチ要素６のための傾斜変形手段４３と、接続要素１１のための傾斜ガイド手段４７と、を有する。さらに、接続要素１１に対応できる連結要素１０が旋回式に伝達スライド１４に取り付けられている。
【００３３】
可動家具部２が図１３の閉方向ＳＲにさらに移動すると、ラッチ要素６は、変形要素２０によって部分的に形成されているスライドトラック１２に沿って、第１連結位置Ｋ１を維持しながら移動する。スライドトラック１２の直線閉部分の端部、すなわち第１移動部分Ｂ１の端部には図１４において到達される。
【００３４】
可動家具部２が、図１４の位置から図１５で示す位置にさらに移動するとすぐに、ラッチ要素６は引込スライド１５のラッチ要素アバットメント４１によってスライドトラック１２のラッチ凹部内に押し込まれる。その結果、引込スライド１５は駆出スライド３から連結が解かれ、同時に駆出スライド３はハウジング４にロックされ、第２連結位置Ｋ２が到達される。よって、２つの連結操作がラッチ要素６のその１動作で実行される。
【００３５】
可動家具部は、引込力保存手段１９の応力解放によって図１５の開位置ＯＳから図１６の閉位置ＳＳまで移動すなわち引き込まれる。接続要素１１が、その引き込み移動の終了直前に伝達スライド１４の連結要素１０と当接するとすぐに、伝達スライドの全体が左側のハウジング中央プレート２６のアバットメント側に移動する。その後、接続要素１１は閉方向ＳＲで連結要素１０を越える。伝達スライド１４の左側へのその移動で、そのロック要素５も左へ移動し、ハウジング４上（詳細にはハウジング中央プレート内）に提供されたスライドトラック１２の一部と共にハウジング４のラッチ要素６のための実際のラッチ凹部１３を形成する。よって、ラッチ要素は、図１５と比べて少々ずれていても第２の連結位置Ｋ２に留まる。これでスライドトラック１２がカージオイド形状に関係することが図１６で明瞭に図示されている。
【００３６】
もし圧力がその閉位置ＳＳ（図１７参照）において閉方向ＳＲに可動家具部２に適用されたら、引込スライド１５も閉方向ＳＲにさらに移動する。その引込スライド１５がその閉位置ＳＳにおいて駆出スライド３で端部アバットメントに到達すると、駆出スライド３は、そこに旋回式に取り付けられたラッチ要素６と共に閉方向ＳＲにも移動される。その結果、ラッチ要素６は図１７で示すように、ラッチ要素が傾斜変形手段４３に当接するまでラッチ凹部１３から外れるように動く。よってオーバプレス位置ＵＳは到達される。同時に、接続要素１１も傾斜ガイド手段４７によって変形される。
【００３７】
傾斜変形手段４３（図１８参照）での変形によって、ラッチ要素６はさらに、伝達スライド１４に提供され、スライドトラック１２の一部を形成する凹部４４をスライドトラック１２の開口部分４５の方向に通過する。
【００３８】
開口部分４５が到達されるとすぐに、駆出要素３はロック解除され、駆出力保存手段１８は応力解除され、可動家具部２は開方向ＯＲに駆出され、開位置ＯＳ（図１９参照）にまで通過する。この駆出動作において、伝達スライド１４は、開方向ＯＲに一定距離、接触状態に到達するまで連結要素１０を介して接続要素１１により再び移動され、伝達スライド１４の当初位置が回復される。もし始動直後に開方向移動が既に妨害されているようにするなら、再閉鎖によって、ラッチ要素６は変形通路４８を通って移動でき、離れる方向に付勢されるフラップ形態である変形要素２０によってラッチ要素６はスライドトラック１２の閉じている部分に再び通過する。
【００３９】
図２０は閉位置ＳＳを示しており、そこでラッチ要素６は第２の連結位置Ｋ２に存在する。その図２０は図１６の図に対応する。
【００４０】
その閉位置ＳＳから可動家具部２に圧力が加えられず、引張力が可動家具部２に加えられるなら、その動作はキャッチレバー３７と引込スライド１５とで形成される検出装置７によって検出される。その結果、引込スライド１５と、それと共に接続要素１１は右側に、連結要素１０に当接するまで同伴して移動する。図２１で示すように連結要素１０がそのように同伴されるため、伝達スライド１４の全体も移動し、ロック要素５はラッチ凹部１３の一部を形成することがなくなる。このように、ラッチ要素６の通路はロック要素５によっては妨害されなくなり、スライドトラック１２の開口部分４５への通路には障害物はなくなる。従って、引張動作の伝達はラッチ要素６には直接及ばず、いわゆるラッチアバットメント（ロック要素５）がラッチ要素６から引き離され、ロック位置または第２の連結位置Ｋ２は無効化される。
【００４１】
さらに、図２２で示すように、駆出力保存手段１８は再び応力解除され、駆出スライド３およびそこに保持された引込スライド１５によって可動家具部を開方向ＯＲに移動させる。駆出力保存手段１８が完全に弛緩したらすぐに、引込力保存手段１９には可動家具部２のさらなる運動量が荷重されるか、引込スライド１５と駆出スライド３との間の第１の連結位置Ｋ１が再び得られるまで可動家具部２を開方向ＯＲに積極的に引っ張ることで荷重される。可動家具部２の閉鎖によって、追加の結果として駆出力保存手段１８は、ロック位置または第２の連結位置Ｋ２が到達される前に応力を受ける。それは実質的に、図１３と図１４で示す位置間にある第１の移動部分Ｂ１に対応する。
【００４２】
図２３から図２９にかけては、ラッチ要素６の走行制御トリガーまたはロック解除の第２実施例を示す。この場合には、ハウジング４上で、駆出スライド３は駆出力保存手段１８（図示せず）によって開方向に作用される。駆出スライド３の端部においてラッチ要素６は幅広部によって形成されている。可動家具部２に直接的または間接的に当接する検出装置７は回転要素の形態の伝達ライド１４と共に伝達装置８を形成する。回転要素はロックスプリング４６によって作用を受けるロック要素５に当接する。
【００４３】
図２５は閉位置ＳＳに存在する駆動装置１を示す。そこでロック要素５は回転軸に最も近い回転要素の点に当接する。よって、スプリング４６は実質的に応力解放されており、ロック要素５は摩擦ロック作用関係またはポジティブロック作用関係でラッチ要素６により駆出スライド３を保持する。
【００４４】
図２６で示すように、押圧力が閉方向ＳＲに検出装置７に付勢されると、回転要素上での係合の偏心点によって回転要素は時計回りに回転し、ロック要素５は反時計回りに、ロックスプリング４６のバネ力に抗して旋回する。結果的にラッチ要素６が解除される。
【００４５】
図２７は、可動家具部２の引っ張り動作、すなわち、開方向ＯＲでの検出装置７の動きを示す。結果として、回転要素は反時計回りに移動する。しかし、同時に、ロック要素５はラッチ要素６の解除で反時計回りに再び移動する。
【００４６】
その解除効果のおかげで、駆出力保存手段１８（図示せず）は応力解除でき、開方向ＯＲに駆出要素３を移動させ、可動家具部は図２８で示す開位置ＯＳに到達する。
【００４７】
図２９で示すごとき閉移動で、ラッチ要素６はその傾斜変形手段と共にロック要素５上を移動し、閉位置ＳＳに再び通過し、そこで駆出要素３はロックされる。
【００４８】
第１実施例の場合とは異なり、この第２実施例では、ロック要素５はハウジングに対して、引張力が適用されたときだけではなく、オーバプレス時にも移動し、ラッチ要素６は受動性のままであり、解除されるだけである。
【００４９】
従って、ラッチ要素６の走行制御トリガー作用は、作用力制御トリガー作用の代替として、少なくとも可動家具部２の開方向ＯＲでの引張時に、ラッチ要素６のロック解除のために、利用可能なオプションを提供する。
【図１】
2015521924.tif 000003
【図２】
2015521924.tif 000004
【図３】
2015521924.tif 000005
【図４】
2015521924.tif 000006
【図５】
2015521924.tif 000007
【図６】
2015521924.tif 000008
【図７】
2015521924.tif 000009
【図８】
2015521924.tif 000010
【図９】
2015521924.tif 000011
【図１０】
2015521924.tif 000012
【図１１】
2015521924.tif 000013
【図１２】
2015521924.tif 000014
【図１３】
2015521924.tif 000015
【図１４】
2015521924.tif 000016
【図１５】
2015521924.tif 000017
【図１６】
2015521924.tif 000018
【図１７】
2015521924.tif 000019
【図１８】
2015521924.tif 000020
【図１９】
2015521924.tif 000021
【図２０】
2015521924.tif 000022
【図２１】
2015521924.tif 000023
【図２２】
2015521924.tif 000024
【図２３】
2015521924.tif 000025
【図２４】
2015521924.tif 000026
【図２５】
2015521924.tif 000027
【図２６】
2015521924.tif 000028
【図２７】
2015521924.tif 000029
【図２８】
2015521924.tif 000030
【図２９】
2015521924.tif 000031
【国際調査報告】
2015521924.tif 000032
2015521924.tif 000033
2015521924.tif 000034
2015521924.tif 000035